(57)【要約】【解決手段】骨格部材７の石膏ボード取付面７ａの裏側の開放部分７ｂに、この解放部分７ｂの全面もしくは一部を覆う部材８，９，１０，１１を備えることにより、配線用の通路７ｃを形成してコンセントパネルＤ’とすることができる。【効果】配線用の通路７ｃ内に配線Ｅを配置させることができるとともに、配線Ｅを見えにくく、しかも、後に出ないようにすることができる。骨格部材７の形状等を大きく変更することがないので、美観を損なわないし、体裁も極めて良い。骨格部材７にコンセント、各種スイッチ類、その他配線Ｅを備えている物品Ｆを取り付け可能としてあれば、この物品ＦをコンセントパネルＤ’に極めて簡単かつ容易に取り付けることができる。配線Ｅを備えている物品Ｆを、取付補助部材１２を用いてコンセントパネルＤ’に取り付けることもできる。【選択図】図４
2016205082.tif 000002
【特許請求の範囲】
【請求項１】
薄壁を構成する場合などに用いる骨格部材であって、石膏ボード取付面の裏側の開放部分に、この解放部分の全面もしくは一部を覆う部材を備えることにより、配線用の通路を形成したことを特徴とする骨格部材。
【請求項２】
骨格部材は、コンセント、各種スイッチ類、その他配線を備えている物品を取り付け可能としてあることを特徴とする請求項１記載の骨格部材。
【請求項３】
コンセント、各種スイッチ類、その他配線を備えている物品を、取付補助部材を用いて骨格部材に取り付けることを特徴とする請求項２記載の骨格部材。
【請求項４】
骨格部材は、スチール、アルミ、あるいは樹脂のいずれかからなることを特徴とする請求項１〜３のいずれか１項に記載の骨格部材。
【発明の詳細な説明】
【技術分野】
【０００１】
本発明は、薄壁を構成する場合などに用いる骨格部材に関し、さらに詳しくは、石膏ボード取付面に対して凹所を有するものに関する。
【背景技術】
【０００２】
例えば、薄壁を構成するために骨格部材が用いられるが、従来の骨格部材においては、コンセント、各種スイッチ類、その他配線を備えている物品を見えないように通線しにくく、特に、コンセントは設置が困難である。また、配線が露出したり、コンセントが見える状態では、美観を損なってしまうことになるので、好ましくない。
【０００３】
この欠点を解消するために、戸袋ユニットの開口部形成部材にコンセントやスイッチを配置できるようにするとともに、内部空間を利用して各種の配線を導入し得るようにしたものが提案されている（例えば、特許文献１）。
【先行技術文献】
【特許文献】
【０００４】
【特許文献１】特開２０１１−１６３０８９号公報（請求項２、段落０００５、００１７、図３等）
【発明の概要】
【発明が解決しようとする課題】
【０００５】
しかしながら、前記内部空間は壁体の側方にあり、しかも、壁面から明らかに突出しているので、美観を損なうことになるし、体裁も良くない。また、内部空間を形成するために様々な板材を組み合わせる必要があるので、コンセント、各種スイッチ類の設置作業を行うための手間を要することにもなる。
【０００６】
そこで、このような状況が解消され、しかも、骨格部材の形状等を大きく変更することなく、改良することができないかを鋭意検討した。その結果、以下の構成とすることにより、その目的を達成することを確認することができた。
【課題を解決するための手段】
【０００７】
すなわち、本発明による骨格部材は、薄壁を構成する場合などに用いる骨格部材であって、石膏ボード取付面の裏側の開放部分に、この解放部分の全面もしくは一部を覆う部材を備えることにより、配線用の通路を形成したことを特徴とするものである。
本発明による骨格部材によれば、配線用の通路内に配線を配置することができるとともに、配線を見えにくく、しかも、後に出ないようにすることができるだけでなく、骨格部材の形状等を大きく変更することがないので、美観を損なわないし、体裁も極めて良い。
【０００８】
骨格部材は、コンセント、各種スイッチ類、その他配線を備えている物品を取り付け可能としてあることが望ましい。この場合には、コンセント、各種スイッチ類、その他配線を備えている物品を、骨格部材に極めて簡単かつ容易に取り付けることができる。
【０００９】
コンセント、各種スイッチ類、その他配線を備えている物品を、取付補助部材を用いて骨格部材に取り付けるようにすることが望ましい。このようにした場合には、取付補助部材を用いることにより、コンセント、各種スイッチ類、その他配線を備えている物品を骨格部材に極めて簡単かつ容易に、しかも、任意の位置に取り付けることができる。
【００１０】
骨格部材は、スチール、アルミ、あるいは樹脂のいずれかからなるものとすることが望ましい。この場合には、様々な材質の骨格部材を利用して、コンセント、各種スイッチ類、その他配線を備えている物品を取り付けることができる。
【発明の効果】
【００１１】
請求項１記載の発明によれば、配線用の通路内に配線を配置することができるとともに、配線を見えにくく、しかも、後に出ないようにすることができるだけでなく、骨格部材の形状等を大きく変更することがないので、美観を損なわないし、体裁も極めて良い。
【００１２】
請求項２記載の発明によれば、コンセント、各種スイッチ類、その他配線を備えている物品を、骨格部材に極めて簡単かつ容易に取り付けることができる。
【００１３】
請求項３記載の発明によれば、取付補助部材を用いることにより、コンセント、各種スイッチ類、その他配線を備えている物品を骨格部材に極めて簡単かつ容易に、しかも、任意の位置に取り付けることができる。
【００１４】
請求項４記載の発明によれば、様々な材質の骨格部材を利用して、コンセント、各種スイッチ類、その他配線を備えている物品を取り付けることができる。
【図面の簡単な説明】
【００１５】
【図１】骨格部材の一例である戸袋に本発明を適用した場合を示す概略図で、(a)は正面図、(b)は平面図である。
【図２】片引き戸を設置した戸袋の拡大断面図で、コンセントと配線を備えている物品とを骨格部材に取り付けた状態を合わせて示す。
【図３】骨格部材の様々な形態を示す斜視図である。
【図４】骨格部材の石膏ボード取付面の裏側に、配線用の通路を形成してコンセントパネルとするための様々な形態を示す斜視図である。
【図５】コンセント、各種スイッチ類、その他配線を備えている物品を、取付補助部材を用いてコンセントパネルに取り付けた状態を示す縦断面図である。
【図６】図５の右方向から見た図である。
【発明を実施するための形態】
【００１６】
本発明による骨格部材の一例を、図面に基いて詳細に説明する。本骨格部材とは、薄壁を構成するためのものであって、例えば、薄壁を構成するための戸袋、片引き戸を構成する際に使用する骨格部材など、骨格となる様々な部材に適用できるものである。また、骨格となる部材は縦桟、横桟のみならず、斜め方向に配置される部材をも含むものとする。
【００１７】
図１に、骨格部材の一例である戸袋に本発明を適用した場合の概要を示す。図１において、符号１は戸尻枠、２は方立アングルで、両者間に上パネル３、下パネル４、２枚の小パネル５，５、１枚の大パネル６、２枚のコンセントパネルＤ’，Ｄ’が横方向に取り付けられている。なお、前記大パネル６は例えば手すりを取り付けるための下地材として利用することができるものである。
【００１８】
このようにして組み立てられた戸袋Ａは、図１(b)及び図２に示すように、各パネル３〜７の手前側と背面側（建具側）とに薄壁を構成するために、左右に設けられる付方立Ｂと方立Ｃ間に配置される。この場合において、従来、骨格部材にコンセント、各種スイッチ類、その他配線を備えている物品を取り付けにくかったが、本発明においては、図１(a)、図２に示すように、コンセントＤ、各種スイッチ類、その他配線Ｅを備えている物品Ｆを、コンセントパネルＤ’に極めて簡単かつ容易に取り付けることができる。なお、図２において、符号Ａ’は片引き戸を示す。
【００１９】
図２においては、コンセントパネルＤ’の背面側（建具側）に、コンセントＤ、各種スイッチ類、その他配線Ｅを備えている物品Ｆを取り付けた場合を図示してあるが、コンセントパネルＤ’の表側である正面側に、コンセントＤ、各種スイッチ類、その他配線Ｅを備えている物品Ｆを取り付けることもできる。
【００２０】
骨格部材７の形態を、図３(a)〜(d)に例示する。各骨格部材７は同図に示すように、いずれも石膏ボード取付面７ａの裏側が符号７ｂで示すように解放されている。その解放形態として、同図(a)、(c)に示すように全面が解放されている場合、同図(b)に示すように解放部分が上下に２個所ある場合、同図(d)に示すように石膏ボード取付面７ａの裏側の一部分のみが解放されている場合などが挙げられる。なお、同図(c)には、石膏ボード取付面７ａの途中が切り欠かれていて石膏ボード取付面７ａ，７ａが上下に２個所形成されている場合が例示されている。
【００２１】
骨格部材７は図３(a)の右側に示すように、前記石膏ボード取付面７ａに対してβ度（約４５度〜１３５度程度が好ましい）に折曲された部分（同図鎖線で示す）を有することにより、剛性を備えたものとすることができる。なお、骨格部材７の前記石膏ボード取付面７ａに石膏ボードＧを取り付けた状態を、図１(b)に示す。
【００２２】
そして、前記石膏ボード取付面７ａの裏側の解放部分７ｂには、図４(a)、(c)に示すように、この解放部分７ｂの全面を覆う側面逆コ字状の部材８を備えることにより、あるいは、同図(b)に示すように、この解放部分の全面を覆う平坦な板状の部材９を備えることにより、あるいは、同図(d)に示すように、倒Ｌ字状の部材１０とＬ字状の部材１１を上下に備えることにより、配線用の通路７ｃが形成され、コンセントパネルＤ’とすることができる。したがって、この通路７ｃ内に配線Ｅを配置することができるとともに、配線Ｅを見えにくく、しかも、後に出ないようにすることができる。また、骨格部材７の形状等を大きく変更することがないので、美観を損なわないし、体裁も極めて良い。
【００２３】
前記解放部分の全面を覆う平坦な板状の部材９に代えて、パンチングメタルと称する孔の開いた板状の部材とすることもできるし、この部材をメッシュ状のもので代用することもできる。
【００２４】
なお、図４(d)に示すように、前記石膏ボード取付面７ａの裏側の解放部分７ｂの全面が覆われていない状態、すなわち、その一部が切り欠かれていても、配線には何ら問題はない。また、同図(e)に示すように、骨格部材７とその開放部分７ｂの全面を覆う平坦な板状の部材９’を押出型材から形成すれば、配線Ｅを配置するための通路７ｃを極めて容易に形成することができる。
【００２５】
このように、本発明によれば、前記通路７ｃ内に配線Ｅを配置することができるとともに、配線Ｅを見えにくく、しかも、後に出ないようにすることができるだけでなく、骨格部材７の形状等を大きく変更することがないので、美観を損なわないし、体裁も極めて良い。また、配線・通線を容易ならしめ得るだけでなく、配線Ｅを保護することもできる。
【００２６】
また、骨格部材７の前記石膏ボード取付面７ａには、図４(a)、(b)、(d)、(e)に示すように、開口孔７ｄとその上下に取付孔７ｅ，７ｅを形成しておくと良い。この場合には、前記開口孔７ｄにコンセントＤを嵌め込むとともに、上下２つの前記取付孔７ｅ，７ｅに図示しないねじを取り付けることにより、コンセントＤをコンセントパネルＤ’に極めて簡単かつ容易に取り付けることができる。
【００２７】
前記通路７ｃの少なくとも片側端部は開放されている。通路７ｃの両側端部が開放されていても良い。このようにしておくと、前記コンセントパネルＤ’の開口孔７ｄにコンセントＤを取り付けた場合において、図１及び図２に示すように、前記開放部分から配線Ｅの余端部を引き出すことができる。
【００２８】
コンセントパネルＤ’はその左端が方立アングル２に干渉するまで取り付け可能であり、また、図１(a)に示すように、前記開放部分から配線Ｅの余端部を引き出すに当っては、配線Ｅが戸尻枠１に干渉するまでは引き出し可能である。
【００２９】
なお、図３(b)、(d)に示すように、骨格部材７あるいはコンセントパネルＤ’を取り付けるための孔７ｆを、他の場合の形状とは異ならしめても良い。また、図３(c)及び図４(c)に示すように、前記石膏ボード取付面７ａが一部切り欠かれていても、この部分には石膏ボードを貼り付けるので、配線・通線には何ら問題がない。
【００３０】
上述したように、骨格部材７の形態については、様々なバリエーションが考えられるが、図３に例示した形態のみに特に限定されるものではなく、図示と上記説明以外の形態としても良い。要するに、骨格部材７は石膏ボード取付面７ａの裏側の開放部分７ｂに、この解放部分７ｂの全面もしくは一部を覆う部材８，９，１０，１１が備えられていて配線用の通路７ｃが形成され、コンセントパネルＤ’とすることができれば良い。
【００３１】
一方、図５、図６に示すように、コンセント、各種スイッチ類、その他配線Ｅを備えている物品Ｆを、取付補助部材１２を用いてコンセントパネルＤ’に取り付けることができるようにすることができる。このようにした場合には、取付補助部材１２を用いることにより、コンセント、各種スイッチ類、その他配線Ｅを備えている物品ＦをコンセントパネルＤ’に極めて簡単かつ容易に、しかも、任意の位置に取り付けることができる。
【００３２】
この取付補助部材１２は、図６に示すように、左右２つの係止片１２ａ，１２ａを備えたものであり、左右２つの係止片１２ａ，１２ａをコンセントパネルＤ’の上下に係止させた状態で、固定ねじ１２ｂにより取付補助部材１２をコンセントパネルＤ’のいずれかの部分に固定することにより、コンセント、各種スイッチ類、その他配線Ｅを備えている物品ＦをコンセントパネルＤ’に取り付けることができる。
【００３３】
骨格部材７ないしコンセントパネルＤ’は、スチール、アルミ、あるいは樹脂のいずれかからなるものとすることができる。この場合には、様々な材質の骨格部材ないしコンセントパネルを利用して、コンセントパネルＤ’にコンセント、各種スイッチ類、その他配線を備えている物品Ｆを取り付けることができる。特に、材質がアルミ、あるいは樹脂の場合には、上でも述べたように、押出型材から形成することができるので、配線Ｅを配置するための通路７ｃを極めて容易に形成することができる。
【符号の説明】
【００３４】
１…戸尻枠、２…方立アングル、７…骨格部材、７ａ…石膏ボード取付面、７ｂ…解放部分、７ｃ…配線用の通路、７ｄ…開口孔、７ｅ…取付孔、８…側面逆コ字状の部材、９…平坦な板状の部材、１０…倒Ｌ字状の部材、１１…Ｌ字状の部材、１２…取付補助部材、１２ａ…係止片、１２ｂ…固定ねじ、Ａ…戸袋、Ｂ…付方立、Ｃ…方立、Ｄ…コンセント、Ｄ’…コンセントパネル、Ｅ…配線、Ｆ…配線を備えている物品。
【図１】
2016205082.tif 000003
【図２】
2016205082.tif 000004
【図３】
2016205082.tif 000005
【図４】
2016205082.tif 000006
【図５】
2016205082.tif 000007
【図６】
2016205082.tif 000008